(57)【要約】【課題】この発明に係る乗客コンベアの異物落下防止装置は、長期間の使用によりブラシの復元力が低下し、さらに踏板とスカートガードとの間の距離に変化があった場合でも、隙間閉塞体がその隙間を閉塞し、異物が乗客コンベアの内部に侵入することを防ぐ乗客コンベアの異物落下防止装置を提供するものである。【解決手段】この発明に係る乗客コンベアの異物落下防止装置は、踏板本体１Ｂの両端部に設けられた枠４と、その枠４の内部に挿入された隙間閉塞体取付け片６と、枠４の底面と隙間閉塞体取付け片６との間に設けられた板バネ５と、さらに、隙間閉塞体取付け片６の先にはスカートガードに接触するように接続されたブラシ７を備えている。【選択図】図１
2007084323.tif 000002
【特許請求の範囲】
【請求項１】
複数個無端状に連結され、二つの乗降口間を走行する踏板と、
この踏板の両側に配置されたスカートガードと、
を備えた乗客コンベアにおける異物が乗客コンベア内に侵入することを防ぐ異物落下防止装置であって、
前記踏板の両端部に設けられ、前記スカートガードに対向する一面が開口している枠と、
前記枠の内部に設けられ、前記スカートガードに対向する方向に進退可能な隙間閉塞体取付け片と、
前記枠の底面と前記隙間閉塞体取付け片との間に設けられ、前記閉塞体取付け片を前記スカートガード側に付勢するバネ部材と、
前記隙間閉塞体取付け片の前記スカートガードに対向する側面に設けられ、先端部が前記スカートガードに接触する隙間閉塞体と、
を備えたことを特徴とする乗客コンベアの異物落下防止装置。
【請求項２】
前記踏板は、踏板本体とデマケーションコムとを有し、
前記踏板本体の両端部には、上下に貫通した第一のネジ穴が形成され、
前記踏板本体の両端部の上面には、前記デマケーションコムが設けられ、このデマケーションコムには、上下に貫通した第二のネジ穴が形成され、
前記枠の上面および下面には、上下に貫通した第三のネジ穴が形成され、
前記隙間閉塞体取付け片には、上下に貫通した第四のネジ穴が形成され、
前記第一のネジ穴、前記第二のネジ穴、前記第三のネジ穴および前記第四のネジ穴に同一のネジが螺着され、前記デマケーションコム、前記枠および前記隙間閉塞体取付け片が前記踏板本体に固定されていることを特徴とする請求項１に記載の乗客コンベアの異物落下防止装置。
【請求項３】
前記第四のネジ穴が長穴であり、この長穴の長径が前記スカートガードに対向する方向に形成されていることを特徴とする請求項２に記載の乗客コンベアの異物落下防止装置。
【請求項４】
前記隙間閉塞体がブラシであることを特徴とする請求項１ないし請求項３の何れか１項に記載の乗客コンベアの異物落下防止装置。
【発明の詳細な説明】
【技術分野】
【０００１】
この発明は、エスカレータや動く歩道等の乗客コンベアにおける踏板とスカートガードとの間に異物が落下しても、異物が乗客コンベア内に侵入することを防ぐ乗客コンベアの異物落下防止装置に関する。
【背景技術】
【０００２】
従来の乗客コンベアの異物落下防止装置として、複数個無端状に連結され、二つの乗降口間を走行する踏板と、この踏板の両側に配置されたスカートガードとを備えた乗客コンベアにおける異物落下防止装置において、先端側がスカートガードに接触しているブラシ状の隙間閉塞体を踏板のスカートガードに対向する側面に取付けられたものが知られている（例えば、特許文献１参照）。
【０００３】
【特許文献１】実開平７−２８１７５号公報
【発明の開示】
【発明が解決しようとする課題】
【０００４】
しかしながら、上記構成の乗客コンベアの異物落下防止装置では、ブラシ状の隙間閉塞体の弾力による復元力のみで異物の侵入を防止しているので、長期間の使用により、ブラシ状の隙間閉塞体が変形し復元力が無くなった場合に、スカートガードの多少の変形によって、踏板とスカートガードとの隙間の寸法が増大すると、隙間閉塞体はその変化に対応できず、その結果、異物が乗客コンベアに落下した場合に、その異物が乗客コンベア内に侵入してしまうという問題点があった。
【０００５】
この発明は、上述のような問題点を解決することを課題とするもので、その目的は、長期間の使用により、ブラシ状の隙間閉塞体が変形し復元力が低下し、さらに、スカートガードの多少の変形によって、踏板とスカートガードとの隙間の寸法が増大し、異物が乗客コンベアに落下した場合であっても、その異物が乗客コンベア内に侵入してしまうことを防ぐことができる乗客コンベアの異物落下防止装置を提供することである。
【課題を解決するための手段】
【０００６】
この発明に係る乗客コンベアの異物落下防止装置は、複数個無端状に連結され、二つの乗降口間を走行する踏板と、この踏板の両側に配置されたスカートガードとを備えた乗客コンベアにおける前記踏板と前記スカートガードとの間に異物が落下し、異物が乗客コンベア内に侵入することを防ぐ異物落下防止装置において、前記踏板の両端部に設けられ、前記スカートガードに対向する一面が開口している枠と、前記枠の内部に設けられ、前記スカートガードに対向する方向に進退可能な隙間閉塞体取付け片と、前記枠の底面と前記隙間閉塞体取付け片との間に設けられ、前記閉塞体取付け片を前記スカートガード側に付勢するバネ部材と、前記隙間閉塞体取付け片の前記スカートガードに対向する側面に設けられ、先端部が前記スカートガードに接触する隙間閉塞体とを備えたものである。
【発明の効果】
【０００７】
この発明に係る乗客コンベアの異物落下防止装置によれば、長期間の使用により、隙間閉塞体が変形し復元力が低下し、さらに、スカートガードの多少の変形によって、踏板とスカートガードとの隙間の寸法が増大した状態において、異物が乗客コンベアに落下した場合であっても、その異物が乗客コンベア内に侵入してしまうことを防ぐことができるという効果がある。
【発明を実施するための最良の形態】
【０００８】
実施の形態１．
以下、この発明の実施の形態１に係る乗客コンベアの異物落下防止装置について図面に基づいて説明する。
図１は、この発明の実施の形態１に係る乗客コンベアの異物落下防止装置の要部断面図であり、図２は、図１の平面図である。
【０００９】
この乗客コンベアでは、複数個無端状に連結され、二つの乗降口間を走行する踏板１を備えている。この踏板１の走行方向に延びて、踏板１の両端にはスカートガード２が設けられている。踏板１とスカートガード２との間には１〜５ミリメートル程度の隙間が形成されている。
踏板１は、乗客コンベアにおいて人が乗る部分である踏板本体１Ｂと黄色い注意標識であるデマケーションコム１Ａによって構成される。
【００１０】
踏板本体１Ｂの両端部には、踏板１の面に対して垂直に貫通した第一のネジ穴８が形成されており、また、デマケーションコム１Ａにも、踏板１の面に対して垂直に貫通した第二のネジ穴９が形成されている。このデマケーションコム１Ａは、踏板本体１Ｂの両端部の上面に接して第一の取付けネジ３により固定されている。
【００１１】
この乗客コンベアの異物落下防止装置には、凹型形状を有する枠４と、この枠４の内部で摺動自在に設けられている隙間閉塞体取付け片６と、隙間閉塞体であるブラシ７と、バネ部材である板バネ５を備えている。
【００１２】
枠４には、図１および図４に示すように、上面および下面に、同一軸上である第三のネジ穴１０が形成されている。この枠４は、踏板本体１Ｂの端部の下面に接して第一の取付けネジ３により固定されている。
【００１３】
枠４の内部に設けられた隙間閉塞体取付け片６には、図１および図３に示すように、上下に貫通した長穴形状である第四のネジ穴１１が形成されており、その長径は、スカートガード２に対向する方向である。この第四のネジ穴１１に第一の取付けネジ３を螺着することにより、隙間閉塞体取付け片６は枠４の内部に固定される。この隙間閉塞体取付け片６の第四のネジ穴１１は長穴であるので、枠４の内部で、スカートガード２に対向する方向に一定の距離だけ進退可能となる。
【００１４】
踏板本体１Ｂ、デマケーションコム１Ａ、枠４および隙間閉塞体取付け片６のそれぞれに設けられた第一のネジ穴８、第二のネジ穴９、第三のネジ穴１０および第四のネジ穴１１は、すべて同軸上に並べられ、一本の第一の取付けネジ３により固定されている。
【００１５】
隙間閉塞体取付け片６と枠４との間には、スカートガード２側に付勢する板バネ５が設けられている。この板バネ５は枠４の底面に対して、一定の圧力で接触しており、板バネ５の変形によって隙間閉塞体取付け片６はスカートガード２に対向する方向に進退自由に移動する。
【００１６】
この板バネ５は、台形状の上底と一対の狭辺からなる形状を有しており、その反上底側の折曲された一対の端部には図示されていないネジ穴がそれぞれ設けられ、第二の取付けネジ５Ａを螺着して隙間閉塞体取付け片６に固定されている。この板バネ５は、銅のようなやわらかい材質からできているので、枠４の底面と隙間閉塞体取付け片６との間で圧力を受けると、この板バネ５の上底部分が凹むようにして撓み、台形の高さに相当する部分が低くなり、その反発力によって、板バネ５は隙間閉塞体取付け片６を付勢する。
【００１７】
また、この隙間閉塞体取付け片６のスカートガード２側の側面には、そのブラシ７が接続されており、その先端はスカートガード２と接触している。板バネ５に付勢された隙間閉塞体取付け片６により、ブラシ７はスカートガード２に対して、一定の圧力で接触している。
【００１８】
図２には、複数個無端状に連結されている踏板１の一段分が示されている。図２のように、踏板１には、踏板１とスカートガード２との間に隙間を閉塞するように、板バネ５および第一の取付けネジ３がそれぞれ３個ずつ隙間閉塞体取付け片６の両端部および中心部に設けられている。また、ブラシ７は、踏板１とスカートガード２との間に隙間を閉塞するように、均一の長さであり、スカートガード２に対してすべて垂直の接触しており、一様の密度で設けられている。
【００１９】
図１および図２では、踏板１の一端部のみを示しているが、もちろん他端部も同様の構造をしている。
【００２０】
以下、上記構成の乗客コンベアの異物落下防止装置の動作について説明する。
板バネ５が隙間閉塞体取付け片６に一定の圧力を加えることにより、隙間閉塞体取付け片６の先に取付けられているブラシ７はスカートガード２に対して、一定の圧力で接触している。スカートガード２の多少の変形により、踏板１とスカートガード２との間に寸法の変化があった場合、ブラシ７はその柔軟性により、ブラシ７は、踏板１とスカートガード２との間を常に閉塞している。その結果、カードや紙などの薄い異物が踏板１に落下しても、その異物が乗客コンベアの内部に侵入することはない。
【００２１】
ところで、長期間の使用によって、ブラシ７が変形してしまい、復元力が低下する。このような状態で、スカートガード２の多少の変形により、踏板１とスカートガード２との間の寸法が増大した場合、枠４内で隙間閉塞体取付け片６が板バネ５の圧力によりスカートガード２に対向する方向にスライドし、ブラシ７はスカートガード２に対して、一定の圧力で接触し、踏板１とスカートガード２との間を常に閉塞する。その結果、カードや紙など薄い異物が踏板１に落下しても、その異物が乗客コンベアの内部に侵入することはない。
【００２２】
以上、説明したように、この乗客コンベアの異物落下防止装置によれば、スカートガード２の多少の変形により、踏板１とスカートガード２との間の寸法が増大したとしても、枠４内で隙間閉塞体取付け片６がバネ５の圧力によりスカートガード２に対向する方向にスライドするので、例えば、ブラシ７が長期間の使用により変形し、その復元力が低下しても、踏板１とスカートガード２との間の隙間は、ブラシ７によって塞ぐことができる。
【００２３】
また、台形形状の板バネ５を使用し、一枚の踏板１の両端部にはその板バネ５を等間隔でそれぞれ３個ずつ設けられているので、隙間閉塞体取付け片６は、各板バネ５から均等に、スカートガード２に対向する方向の力を受ける。これにより、隙間閉塞体取付け片６のブラシ７に対する圧力は均一になる。その結果、ブラシ７とスカートガード２との隙間はさらに安定して閉塞するようになる。
【００２４】
また、デマケーションコム１Ａを踏板本体１Ｂに取付けるための第一の取付けネジ３を用いて、枠４および隙間閉塞体取付け片６を同時に踏板本体１Ｂに取付けることができるので、新たなネジ等の固定手段を必要としない。
【００２５】
また、隙間閉塞体取付け片６に設けられた第四のネジ穴１１は長穴であるので、隙間閉塞体取付け片６の動きがスカートガード２に対向する方向に規制され、ブラシ７はスカートガード２に対向する方向にのみ移動する。その結果、ブラシ７がスカートガード２に対して、傾きを持たず垂直に接触することができ、ブラシ７とスカートガード２との隙間を閉塞することができる。
【００２６】
また、ブラシ７は柔軟性があるため、スカートガード２を傷つけることがなく、また、スカートガード２の多少の変形があっても、ブラシ７の復元力により隙間を閉塞することができる。
【００２７】
なお、上記実施の形態１では、バネ部材として板バネ５を例として説明したが、勿論このものに限定されるものではなく、圧縮バネのようなものであってもよい。
【００２８】
また、上記実施の形態１では、隙間閉塞体としてブラシを例として説明したが、勿論このものに限定されるものではなく、スポンジのような柔軟性のあるものであってもよい。
【００２９】
さらに、上記実施の形態１では、一枚の踏板に対して、両端部それぞれの板バネおよび取付けネジを３個として説明したが、勿論この数に限定されるものではない。
【図面の簡単な説明】
【００３０】
【図１】本発明の実施の形態１の乗客コンベアの異物落下防止装置を示す要部断面図である。
【図２】図１の平面図である。
【図３】図１に示す隙間閉塞体取付け片およびブラシの平面図である。
【図４】図１に示す枠の平面図である。
【符号の説明】
【００３１】
１  踏板、１Ａ  デマケーションコム、１Ｂ  踏板本体、２  スカートガード、３  第一の取付けネジ、４  枠、５  板バネ（バネ部材）、５Ａ  第二の取付けネジ、６  隙間閉塞体取付け片、７  ブラシ（隙間閉塞体）、８  第一のネジ穴、９  第二のネジ穴、１０  第三のネジ穴、１１  第四のネジ穴。
【図１】
2007084323.tif 000003
【図２】
2007084323.tif 000004
【図３】
2007084323.tif 000005
【図４】
2007084323.tif 000006